(57)【要約】【課題】この発明は、装置本体と映像表示部を備えた蓋体とを多軸結合し、装置本体に対して蓋体を多方向に向けて回動可能とする構成において、映像表示面を装置本体に対向させて蓋体が閉じられたときにのみ映像表示を消灯させるようにすることを、簡易な構成で実現し得る映像表示装置を提供することを目的としている。【解決手段】蓋体１４の映像表示部１４ａが露出されている面の所定位置に形成された操作用突起１５によって、映像表示部１４ａを装置本体１２に対向させるようにして蓋体１４が閉じられたときにのみ、装置本体１２に設けられた開閉検出スイッチ１６が押圧操作されて映像表示部１４ａを消灯させる。【選択図】    図１
2006106613.tif 000002
【特許請求の範囲】
【請求項１】
映像信号を復元して出力可能な装置本体と、
前記装置本体から出力される映像信号を表示する映像表示部を有する蓋体と、
前記装置本体と前記蓋体とを多軸結合し、前記装置本体に対して前記蓋体を多方向に向けて回動可能とする連結機構とを備えた映像表示装置であって、
前記蓋体の前記映像表示部が露出されている面の所定位置に形成された操作用突起と、
前記装置本体に設けられ、前記映像表示部を前記装置本体に対向させるようにして前記蓋体が閉じられたとき、前記操作用突起によって押圧操作される開閉検出スイッチと、
前記開閉検出スイッチが押圧操作されたとき、前記映像表示部を消灯させる制御手段とを具備することを特徴とする映像表示装置。
【請求項２】
映像信号を復元して出力可能な装置本体と、
前記装置本体から出力される映像信号を表示する映像表示部を有する蓋体と、
前記装置本体と前記蓋体とを多軸結合し、前記装置本体に対して前記蓋体を多方向に向けて回動可能とする連結機構とを備えた映像表示装置であって、
前記蓋体の前記映像表示部が露出されている面の所定位置に設けられ、前記映像表示部を前記装置本体に対向させるようにして前記蓋体が閉じられたとき、前記装置本体によって押圧操作される開閉検出スイッチと、
前記開閉検出スイッチが押圧操作されたとき、前記映像表示部を消灯させる制御手段とを具備することを特徴とする映像表示装置。
【請求項３】
前記連結機構は、前記蓋体の前記映像表示部が露出されている側の面と反対側の面を、前記装置本体に対向させるようにして前記蓋体を閉じることを可能とすることを特徴とする請求項１または２記載の映像表示装置。
【請求項４】
前記制御手段は、前記開閉検出スイッチが押圧操作されたとき、前記映像表示部に対する電源供給を遮断して、前記映像表示部を消灯させることを特徴とする請求項１または２記載の映像表示装置。
【請求項５】
前記装置本体は、
記録媒体を駆動して記録データを読み取るドライブ手段と、
前記ドライブ手段で読み取ったデータから映像信号を復元する処理手段と、
前記処理手段で復元された映像信号を表示させるように前記映像表示部を駆動する駆動手段とを備え、
前記制御手段は、前記開閉検出スイッチが押圧操作されたとき、前記ドライブ手段及び駆動手段に対する電源供給を遮断して、前記映像表示部を消灯させることを特徴とする請求項１または２記載の映像表示装置。
【請求項６】
略薄型の箱状に形成され、記録媒体から映像信号を再生して出力可能な装置本体と、
略板状に形成され、前記装置本体から出力される映像信号を表示するための映像表示部が一方の平面に露出された蓋体と、
前記装置本体の一端部の略中央と前記蓋体の一端部の略中央とを連結し、前記装置本体に対して前記蓋体を煽り方向及び捻り方向に回動可能に支持するもので、前記蓋体の前記映像表示部が露出されている側の面と反対側の面を、前記装置本体に対向させるようにして前記蓋体を閉じることを可能とする連結機構とを備えた映像表示装置であって、
前記蓋体の前記映像表示部が露出されている面の所定位置に形成された操作用突起と、
前記装置本体に設けられ、前記映像表示部を前記装置本体に対向させるようにして前記蓋体が閉じられたとき、前記操作用突起によって押圧操作される開閉検出スイッチと、
前記開閉検出スイッチが押圧操作されたとき、前記映像表示部を消灯させる制御手段とを具備することを特徴とする映像表示装置。
【請求項７】
略薄型の箱状に形成され、記録媒体から映像信号を再生して出力可能な装置本体と、
略板状に形成され、前記装置本体から出力される映像信号を表示するための映像表示部が一方の平面に露出された蓋体と、
前記装置本体の一端部の略中央と前記蓋体の一端部の略中央とを連結し、前記装置本体に対して前記蓋体を煽り方向及び捻り方向に回動可能に支持するもので、前記蓋体の前記映像表示部が露出されている側の面と反対側の面を、前記装置本体に対向させるようにして前記蓋体を閉じることを可能とする連結機構とを備えた映像表示装置であって、
前記蓋体の前記映像表示部が露出されている面の所定位置に設けられ、前記映像表示部を前記装置本体に対向させるようにして前記蓋体が閉じられたとき、前記装置本体によって押圧操作される開閉検出スイッチと、
前記開閉検出スイッチが押圧操作されたとき、前記映像表示部を消灯させる制御手段とを具備することを特徴とする映像表示装置。
【発明の詳細な説明】
【技術分野】
【０００１】
この発明は、装置本体に対して映像表示部を備えた蓋体が開閉自在に支持されるように構成された映像表示装置の改良に関する。
【背景技術】
【０００２】
周知のように、近年では、情報の高密度記録技術が促進されており、片面１層に４．７ＧＢ（Giga Byte）もの記録容量を有する、ＤＶＤ（Digital Versatile Disk）と称される光ディスクも実用化されている。
【０００３】
そして、この種の光ディスクからデータを再生する光ディスク再生装置としては、光ディスクを収容する収容部、収容された光ディスクを回転させるディスクモータ、回転された光ディスクからデータを読み取る光ヘッド、光ヘッドで読み取ったデータを映像信号に復元する回路部等を備えた装置本体と、復元された映像信号を表示する映像表示部を備え、装置本体に対して開閉自在に支持される蓋体とから構成されるものがある。
【０００４】
特許文献１には、このような構成の光ディスク再生装置において、装置本体に対する蓋体の回動位置を検出する開閉検出機構を備え、装置本体と蓋体とが所定の角度以下になったときに、自動的に蓋体の表示部を消灯させるようにした技術が開示されている。しかしながら、この特許文献１に示された構成では、開閉検出機構の構造が複雑で小型化に不向きであるという問題を有している。
【特許文献１】特開２００２−２８８９７４号公報
【発明の開示】
【発明が解決しようとする課題】
【０００５】
そこで、この発明は上記事情を考慮してなされたもので、装置本体と映像表示部を備えた蓋体とを多軸結合し、装置本体に対して蓋体を多方向に向けて回動可能とする構成において、映像表示面を装置本体に対向させて蓋体が閉じられたときにのみ映像表示を消灯させるようにすることを、簡易な構成で実現し得る映像表示装置を提供することを目的とする。
【課題を解決するための手段】
【０００６】
この発明に係る映像表示装置は、映像信号を復元して出力可能な装置本体と、装置本体から出力される映像信号を表示する映像表示部を有する蓋体と、装置本体と蓋体とを多軸結合し、装置本体に対して蓋体を多方向に向けて回動可能とする連結機構とを備えたものであって、蓋体の映像表示部が露出されている面の所定位置に形成された操作用突起と、装置本体に設けられ、映像表示部を装置本体に対向させるようにして蓋体が閉じられたとき、操作用突起によって押圧操作される開閉検出スイッチと、開閉検出スイッチが押圧操作されたとき、映像表示部を消灯させる制御手段とを備えるようにしたものである。
【発明の効果】
【０００７】
上記した発明によれば、蓋体の映像表示部が露出されている面の所定位置に形成された操作用突起によって、映像表示部を装置本体に対向させるようにして蓋体が閉じられたときに、装置本体に設けられた開閉検出スイッチが押圧操作されて映像表示部を消灯させるようにしたので、装置本体と映像表示部を備えた蓋体とを多軸結合し、装置本体に対して蓋体を多方向に向けて回動可能とする構成において、映像表示面を装置本体に対向させて蓋体が閉じられたときにのみ映像表示を消灯させるようにすることを、簡易な構成で実現することが可能となる。
【発明を実施するための最良の形態】
【０００８】
以下、この発明の実施の形態について図面を参照して詳細に説明する。図１は、この実施の形態で説明する光ディスク再生装置１１の外観を示している。
【０００９】
この光ディスク再生装置１１は、略薄型の箱状に形成された装置本体１２と、この装置本体１２の一端部の略中央に、ヒンジ機構１３を介して回動自在に連結された略板状の蓋体１４とから構成されている。
【００１０】
このうち、装置本体１２には、その一方の主平面１２ａに光ディスクを収容する収容部１２ｂが設けられるとともに、収容部１２ｂに収容された光ディスクを回転させるディスクモータ、回転された光ディスクからデータを読み取る光ヘッド、光ヘッドで読み取ったデータを映像信号に復元する回路部等が搭載されている。
【００１１】
また、上記蓋体１４には、その一方の平面に、上記装置本体１２の回路部で復元された映像信号を表示するための、例えば液晶表示パネル等を備えた映像表示部１４ａが露出されている。
【００１２】
さらに、上記ヒンジ機構１３は、装置本体１２の一端部の略中央と、蓋体１４の一端部の略中央とを連結するもので、装置本体１２に対して蓋体１４を、略直交する２軸の周りをそれぞれ回動するように支持している。
【００１３】
すなわち、蓋体１４は、装置本体１２の主平面１２ａに対して、その映像表示部１４ａ面が開閉される方向、いわゆる煽り方向に回動可能となっている。また、蓋体１４は、装置本体１２に対して略直角に起立された状態で、矢印Ａで示す方向、いわゆる装置本体１２に対して捻る方向に回動させることにより、映像表示部１４ａ面の向きを１８０°反転させることができる。
【００１４】
これにより、光ディスク再生装置１１は、映像表示部１４ａを装置本体１２の主平面１２ａに対向させるようにして、蓋体１４を閉じることにより、図２に示すように、映像表示部１４ａが露出されない閉状態に設定することができる。
【００１５】
また、光ディスク再生装置１１は、蓋体１４の映像表示部１４ａの設置されている側と反対側の面を、装置本体１２の主平面１２ａに対向させるようにして、蓋体１４を閉じることにより、図３に示すように、映像表示部１４ａが表面に露出された閉状態に設定することができる。
【００１６】
ここで、図１及び図４に示すように、蓋体１４には、その映像表示部１４ａが露出されている側の面の所定位置に、操作用突起１５が設置されている。また、装置本体１２の主平面１２ａには、蓋体１４を図２に示すように閉じた状態で操作用突起１５に対応する位置に、開閉検出スイッチ１６が設置されている。この開閉検出スイッチ１６は、装置本体１２の主平面１２ａと同じ高さになるように設置されている。
【００１７】
このため、先に図２に示したように、蓋体１４を映像表示部１４ａが露出されないように閉じた場合には、図５に示すように、開閉検出スイッチ１６が操作用突起１５によって押圧操作されることになる。
【００１８】
そして、この開閉検出スイッチ１６が押圧操作された状態においては、映像表示部１４ａへの電源供給が遮断されて映像表示部１４ａが消灯されるとともに、上述したディスクモータ、光ヘッド、回路部等への電源供給も停止されることになる。
【００１９】
これに対し、先に図３に示したように、蓋体１４を映像表示部１４ａが露出されるように閉じた場合には、図６に示すように、開閉検出スイッチ１６が操作用突起１５によって押圧操作されないようになる。このため、映像表示部１４ａ、ディスクモータ、光ヘッド、回路部等への電源供給が停止されることがなく、映像表示を行なうことが可能となる。
【００２０】
図７は、上記した光ディスク再生装置１１の信号処理系を示している。すなわち、記録媒体であるＤＶＤ等の光ディスク１７は、ディスクドライブ部１８に装着される。このディスクドライブ部１８は、ディスクモータや光ヘッドを有し、装着された光ディスク１８を回転駆動させて、その記録データを読み取る機能を有する。
【００２１】
このディスクドライブ部１８で読み取られたデータは、信号処理部１９に供給されて復調されることにより映像信号に復元される。そして、この信号処理部１９で復元された映像信号は、それを映像表示させるように前記映像表示部１４ａを駆動する表示駆動部２０を介した後、接続端子２１を介して蓋体１４の映像表示部１４ａに供給されて映像表示に供される。
【００２２】
ここで、この光ディスク再生装置１１は、上記した再生動作を含むその全ての動作を制御部２２によって統括的に制御されている。この制御部２２は、ＣＰＵ（Central Processing Unit）等を内蔵しており、操作部２３からの操作情報を受けて、その操作内容が反映されるように各部をそれぞれ制御している。
【００２３】
この場合、制御部２２は、メモリ部２４を利用している。このメモリ部２４は、主として、ＣＰＵが実行する制御プログラムを格納したＲＯＭ（Read Only Memory）と、該ＣＰＵに作業エリアを提供するＲＡＭ（Random Access Memory）と、各種の設定情報及び制御情報等が格納される不揮発性メモリとを有している。
【００２４】
また、この制御部２２には、上記開閉検出スイッチ１６も接続されており、その操作情報が制御部２２に入力されるようになっている。そして、制御部２２は、開閉検出スイッチ１６が非操作状態、つまりオフ状態にあるときには、ディスクドライブ部１８及び表示駆動部２０に対して電源の供給を行なうように制御する。
【００２５】
これにより、ディスクドライブ部１８による光ディスク１７からのデータの読み取りが行なわれるとともに、表示駆動部２０を介して映像表示部１４ａへの電源供給が行なわれて、映像表示が可能となる。
【００２６】
一方、制御部２２は、開閉検出スイッチ１６が操作状態、つまりオン状態にあるときには、ディスクドライブ部１８及び表示駆動部２０に対して電源の供給を遮断するように制御する。
【００２７】
これにより、ディスクドライブ部１８による光ディスク１７からのデータの読み取りが行なわれなくなるとともに、表示駆動部２０を介して映像表示部１４ａへの電源供給が行なわれなくなり、映像表示部１４ａが消灯される。
【００２８】
上記した実施の形態によれば、蓋体１４の映像表示部１４ａが設置されている側の面の所定位置に操作用突起１５を設置し、装置本体１２に、その主平面１２ａに映像表示部１４ａが対向するように蓋体１４を閉じた状態で、操作用突起１５によって押圧操作される開閉検出スイッチ１６を設けるようにしている。
【００２９】
このため、蓋体１４を映像表示部１４ａが露出されないように閉じた場合には、開閉検出スイッチ１６が操作用突起１５によって押圧操作され、映像表示部１４ａが消灯され、蓋体１４を映像表示部１４ａが露出されるように閉じた場合には、開閉検出スイッチ１６が操作用突起１５によって押圧操作されず、映像表示部１４ａでの映像表示が行なわれるようになる。
【００３０】
すなわち、装置本体１２と映像表示部１４ａを備えた蓋体１４とをヒンジ機構１３により２軸結合し、装置本体１２に対して蓋体１４を多方向に向けて回動可能とした構成において、映像表示部１４ａ面を装置本体１２の主平面１２ａに対向させて蓋体１４が閉じられたときにのみ映像表示を消灯させるようにすることを、非常に簡易な構成で実現することが可能となる。
【００３１】
このように、開閉検出スイッチ１６が操作されたとき、映像表示部１４ａを消灯させることによって、消費電力の削減や、映像表示部１４ａの点灯時の発熱を抑えることができる。また、ディスクドライブ部１８への電源供給も停止させるようにしたので、消費電力の削減のために一層効果的である。
【００３２】
ここで、上記した実施の形態では、開閉検出スイッチ１６の操作情報を制御部２２に入力し、制御部２２がディスクドライブ部１８及び表示駆動部２０を制御することについて説明したが、これに限らず、例えば、開閉検出スイッチ１６とディスクドライブ部１８及び表示駆動部２０とをハーネスを介して直接接続して制御することも可能である。
【００３３】
図８は、上記した実施の形態の変形例を示している。すなわち、図８において、図４と同一部分に同一符号を付して説明すると、蓋体１４の映像表示部１４ａが設置されている側の面の所定位置に、上記操作用突起１５に代えて、開閉検出スイッチ２５を設置している。
【００３４】
この開閉検出スイッチ２５は、図９（ａ）に示すように、回路基板２６にリード足２５ａを介して接続されたスイッチ本体２５ｂから突出する操作部２５ｃを備えている。そして、この開閉検出スイッチ２５は、図９（ａ）に示す非操作位置から、矢印Ｂで示される方向に操作部２５ｃが押圧操作されることにより、図９（ｂ）に示す操作位置となる。この例の場合、開閉検出スイッチ２５の操作部２５ｃは、蓋体１４の映像表示部１４ａが設置されている側の面から所定距離だけ突出している。
【００３５】
図８に示すような構成によれば、蓋体１４を映像表示部１４ａが露出されないように閉じた場合には、開閉検出スイッチ２５の操作部２５ｃが装置本体１２の主平面１２ａによって押圧操作されオン状態となるので、映像表示部１４ａが消灯される。
【００３６】
また、蓋体１４を映像表示部１４ａが露出されるように閉じた場合には、開閉検出スイッチ２５の操作部２５ｃが押圧操作されずオフ状態であるため、映像表示部１４ａでの映像表示が行なわれるようになる。
【００３７】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３８】
【図１】この発明の実施の形態を示すもので、光ディスク再生装置の外観を説明するために示す斜視図。
【図２】同実施の形態における光ディスク再生装置の一方の閉状態を説明するために示す斜視図。
【図３】同実施の形態における光ディスク再生装置の他方の閉状態を説明するために示す斜視図。
【図４】同実施の形態における光ディスク再生装置の操作用突起と開閉検出スイッチとの位置関係を説明するために示す側面図。
【図５】同実施の形態における光ディスク再生装置の操作用突起によって開閉検出スイッチが操作された状態を説明するために示す側面図。
【図６】同実施の形態における光ディスク再生装置の操作用突起によって開閉検出スイッチが非操作となる状態を説明するために示す側面図。
【図７】同実施の形態における光ディスク再生装置の信号処理系を説明するために示すブロック構成図。
【図８】同実施の形態における光ディスク再生装置の変形例を説明するために示す側面図。
【図９】同実施の形態における光ディスク再生装置の変形例に使用された開閉検出スイッチの構造を説明するために示す図。
【符号の説明】
【００３９】
１１…光ディスク再生装置、１２…装置本体、１３…ヒンジ機構、１４…蓋体、１５…操作用突起、１６…開閉検出スイッチ、１７…光ディスク、１８…ディスクドライブ部、１９…信号処理部、２０…表示駆動部、２１…接続端子、２２…制御部、２３…操作部、２４…メモリ部、２５…開閉検出スイッチ。
【図１】
2006106613.tif 000003
【図２】
2006106613.tif 000004
【図３】
2006106613.tif 000005
【図４】
2006106613.tif 000006
【図５】
2006106613.tif 000007
【図６】
2006106613.tif 000008
【図７】
2006106613.tif 000009
【図８】
2006106613.tif 000010
【図９】
2006106613.tif 000011